(57)【要約】【課題】発光部材からの照射光を効率良く被写体に配光することができ、低消費電力化、小型化および低コスト化が可能な撮像装置を提供する。【解決手段】撮像装置としてのデジタルカメラ１００において、カメラ本体１１０は、その前面に、撮像レンズ１が内部に組み込まれたレンズ鏡筒３０を有する。レンズ鏡筒３０の先端部には、発光部材１７としての４個の発光素子１７ａ〜１７ｄが配設されるとともに、反射部材４０が配設されている。近接した被写体を撮影する、いわゆるマクロ撮影時において、レンズ鏡筒３０がカメラ本体１１０の前方に繰り出されるとともに、各発光素子からの照明光が被写体に照射される。反射部材４０は、各発光素子が出射した光の戻り光を被写体に向けて反射させる。【選択図】図１
2011133629.tif 000002
【特許請求の範囲】
【請求項１】
撮像レンズを保持する鏡筒の先端部に設けられ、被写体に光を照射するための発光部材と、
前記発光部材が出射した光の戻り光を、近接する前記被写体に反射させるための反射部材とを備える、撮像装置。
【請求項２】
前記発光部材は、前記鏡筒の先端部に配置された少なくとも１つの発光素子を含み、
前記反射部材は、前記鏡筒の先端部に配置され、かつ、その表面の少なくとも一部分に、前記戻り光を前方に散乱反射させるための散乱反射面を有する、請求項１に記載の撮像装置。
【請求項３】
前記発光部材は、前記鏡筒の先端部に配置された少なくとも１つの発光素子を含み、
前記反射部材は、前記鏡筒の先端部に配置され、かつ、その表面の少なくとも一部分に、前記戻り光を前記被写体に向けて反射させるための傾斜反射面を有する、請求項１に記載の撮像装置。
【請求項４】
前記発光部材は、前記鏡筒の先端部に配置された少なくとも１つの発光素子を含み、
前記反射部材は、前記鏡筒の先端部に配置され、かつ、その表面の少なくとも一部分に、前記戻り光を前記発光素子が配置されていない部分に向けて反射させるための傾斜反射面を有する、請求項１に記載の撮像装置。
【発明の詳細な説明】
【技術分野】
【０００１】
この発明は、撮像装置に関し、より特定的には、マクロ撮影機能を備えた撮像装置に関する。
【背景技術】
【０００２】
撮像装置としてのカメラにおいては、被写体に照明光を照射するための照明手段として、カメラ本体部の前面部あるいは上面部にストロボが内蔵されたものがある。このようなカメラによって、近接した被写体を撮影する、いわゆるマクロ撮影を行なう場合には、撮像レンズが内部に支持された鏡筒が前方に繰り出されて、本体部から大きく突出する。そのため、ストロボを発光させても、照明光線の一部が鏡筒の前端部によって遮られ、いわゆる光線のけられの状態が生じてしまうことによって、被写体全体を均一に照明することが困難となっていた。
【０００３】
このような不具合を解消するため、たとえば特開２００５−３０１２１７号公報（特許文献１）は、鏡筒の先端部に発光部材を設ける技術を開示している。この特許文献１に記載のデジタルカメラでは、鏡筒の先端部に、発光素子としての発光ダイオードが、４個等角度間隔に埋め込まれて配置されている。そして、この発光ダイオードは、レリーズボタンを深く押して、シャッタレリーズ操作をすると、シャッタの開口動作に同期して電源が供給されて発光するように構成されている。
【先行技術文献】
【特許文献】
【０００４】
【特許文献１】特開２００５−３０１２１７号公報
【発明の概要】
【発明が解決しようとする課題】
【０００５】
上記の特許文献１に記載のデジタルカメラでは、発光素子としての発光ダイオードは、ストロボのように、ＤＣ／ＤＣコンバータなどの昇圧回路や大容量コンデンサなどの嵩張る部材が不要なことから、鏡筒の先端部にコンパクトに収容、設置することができる。
【０００６】
その一方で、発光ダイオードは、ストロボと比較して光量が少ないことから、被写体全体を均一に照明するためには、複数個の発光ダイオードを、複数の異なる方向から光を照射する位置に配置する必要がある。そのため、低消費電力化および低コスト化の要求を十分に満たすことができない。
【０００７】
それゆえ、この発明はかかる課題を解決するためになされたものであり、その目的は、発光部材からの照射光を効率良く被写体に配光することができ、低消費電力化、小型化および低コスト化が可能な撮像装置を提供することである。
【課題を解決するための手段】
【０００８】
この発明のある局面に従えば、撮像装置は、撮像レンズを保持する鏡筒の先端部に設けられ、被写体に光を照射するための発光部材と、発光部材が出射した光の戻り光を、近接する被写体に反射させるための反射部材とを備える。
【０００９】
好ましくは、発光部材は、鏡筒の先端部に配置された少なくとも１つの発光素子を含む。反射部材は、鏡筒の先端部に配置され、かつ、その表面の少なくとも一部分に、戻り光を前方に散乱反射させるための散乱反射面を有する。
【００１０】
好ましくは、発光部材は、鏡筒の先端部に配置された少なくとも１つの発光素子を含む。反射部材は、鏡筒の先端部に配置され、かつ、その表面の少なくとも一部分に、戻り光を被写体に向けて反射させるための傾斜反射面を有する。
【００１１】
好ましくは、発光部材は、鏡筒の先端部に配置された少なくとも１つの発光素子を含む。反射部材は、鏡筒の先端部に配置され、かつ、その表面の少なくとも一部分に、戻り光を発光素子が配置されていない部分に向けて反射させるための傾斜反射面を有する。
【発明の効果】
【００１２】
この発明によれば、発光部材からの照射光を効率良く被写体に配光することができるため、撮像装置の低消費電力化、小型化および低コスト化を図ることができる。
【図面の簡単な説明】
【００１３】
【図１】この発明の実施の形態に係る撮像装置の一例の外観斜視図である。
【図２】レンズ鏡筒の先端部の分解斜視図である。
【図３】図１のデジタルカメラの内部構成を説明するブロック図である。
【図４】図１のデジタルカメラで、発光部材を発光させてマクロ撮影を行なう状態を模式的に示す平面図である。
【図５】本発明の実施の形態の変更例１に従うデジタルカメラを前方（被写体側）から見たときの概略構成を示す図である。
【図６】図５のＡ−Ａ断面図である。
【図７】本発明の実施の形態の変更例２に従うデジタルカメラを前方（被写体側）から見たときの概略構成を示す図である。
【図８】図７のＢ−Ｂ断面図である。
【発明を実施するための形態】
【００１４】
以下、本発明の実施の形態について、図面を参照しながら詳細に説明する。なお、図中の同一または相当する部分には同一符号を付してその説明は繰返さない。
【００１５】
図１は、この発明の実施の形態に係る撮像装置の一例の外観斜視図である。
図１を参照して、本実施の形態に係る撮像装置であるデジタルカメラ１００は、カメラ本体１１０と、発光部材１７と、反射部材４０とを備える。
【００１６】
カメラ本体１１０は、撮像レンズ１が内部に組み込まれたレンズ鏡筒３０を前面に有する。レンズ鏡筒３０は、沈胴式の鏡筒であり、２重に嵌合された可動鏡筒を有している。ユーザが電源ボタン３２をオンすると、駆動モータにより可動鏡筒は、図１に示す撮影状態位置までカメラ本体１１０から繰り出される。そして、この状態から電源ボタン３２をオフすると、駆動モータにより可動鏡筒は、カメラ本体１１０の内部に埋設され、いわゆる沈胴状態となる。
【００１７】
発光部材１７は、レンズ鏡筒３０の先端部に配されている。発光部材１７は、複数（たとえば４個とする）の発光素子からなる。４個の発光素子は、撮像レンズ１が露呈するレンズ鏡筒３０の先端部の撮影開口の外周部分に、互いに９０°ずつずれた位置に等間隔で配置されている。
【００１８】
発光素子は、たとえば発光ダイオード（ＬＥＤ：Light Emitting Diode）からなる。発光素子は、レリーズボタン３６を強く押圧（全押し）すると、シャッタの開口動作に同期して電源が供給されて発光するように構成されている。
【００１９】
反射部材４０は、レンズ鏡筒３０の先端部に配されている。反射部材４０は、近接した被写体を撮影する、いわゆるマクロ撮影時において、発光素子が出射した光の戻り光を被写体に向けて反射させるように構成されている。これにより、発光素子からの光を効率良く被写体に照射することができる。
【００２０】
図２に、レンズ鏡筒３０の先端部の分解斜視図を示す。図２を参照して、反射部材４０は、レンズ鏡筒３０の先端部と略同じ円形状の外形を有している。反射部材４０は、レンズ鏡筒３０の先端部の撮影開口と略同じ円形状の外形を有する透過穴４２が形成されている。透過穴４２は、撮像レンズ１の光軸とその中心が一致するように形成されている。
【００２１】
反射部材４０にはさらに、４個の発光素子１７ａ〜１７ｄとその位置が一致するように４個の透過穴４４が形成されている。反射部材４０がレンズ鏡筒３０の先端部に配置された状態で、各発光素子は反射部材４０により取り囲まれる。
【００２２】
反射部材４０は、たとえば反射板からなる。反射板は、アルミニウムまたはその合金、銅またはその合金、ステンレス鋼などの金属材を用いた薄板で形成することができる。あるいは、エポキシなどの熱硬化樹脂や液晶ポリマなどの熱可塑性樹脂で形成してもよい。
【００２３】
なお、反射板として金属板を採用する場合には、金属の地肌をそのままあるいは研磨などの表面処理を施すことにより高い光反射特性を付与することができる。
【００２４】
また、反射部材４０は、反射膜であってもよい。反射膜は、レンズ鏡筒３０の先端部に、反射塗料を塗布して形成することができる。反射膜を構成する反射塗料としては、アクリルウレタン塗料、アクリル塗料、アクリルシリコン塗料、エポキシ系塗料、ポリエステル塗料などを適用することができる。
【００２５】
ここで、反射部材４０としての反射板および反射膜は、入射した光の反射光を拡散させるべく、その表面の少なくとも一部に散乱反射面を有していることが望ましい。この散乱反射面に入射した光を拡散させることにより、被写体の一部分に集中して光が照射されるのを抑制できるため、被写体全体に対して均等に光を照射することが可能となる。なお、散乱反射面は、たとえば反射板の表面に多数の微細な凹凸形状を形成するための処理を施すことにより形成することができる。
【００２６】
また、図２の例では、反射部材４０を、レンズ鏡筒３０の先端部と略同じ円形状の外形を有するものとしたが、ＣＣＤ３の撮像面と同等の縦横比を有する矩形状の外形を有するようにしてもよい。この場合、ＣＣＤ３に入射される光量を、撮像面の面内で均一にすることができる。
【００２７】
また、反射部材４０として反射板を採用する場合には、反射板を、着脱自在な態様でレンズ鏡筒３０に固定することも可能である。被写体の明るさに応じて反射板を着脱することで、被写体に照射する光の光量を容易に調整することができる。
【００２８】
図１に戻って、カメラ本体１１０の前面には、レンズ鏡筒３０の他に、ストロボ発光窓３８が設けられている。カメラ本体１１０の上面には、電源ボタン３２と、モードダイヤル３４と、レリーズボタン３６とが設けられている。さらに、底面には、外部メモリカード１５（図３）が着脱自在に装着されるメモリカードスロットやＵＳＢコネクタを覆う開閉自在な蓋（図示せず）が設けられている。
【００２９】
モードダイヤル３４が回動操作されると、静止画撮影を行なう静止画撮影モード、動画撮影を行なう動画撮影モード、撮影した画像を表示器１３（図４）に表示する再生モード、および各種設定を行なう設定モードが切換えられる。なお、設定モードでは、ストロボ発光窓３８から被写体に向けてストロボ光を発するモードと、発光部材１７から被写体に向けて光を発するモードとを切換えることができる。
【００３０】
レリーズボタン３６は、２段階押しのスイッチとなっている。被写体のフレーミングの後に、レリーズボタン３６を軽く押圧（半押し）すると、露出条件の決定、自動焦点調整などの各種撮影準備処理が施される。この状態でレリーズボタン３６をもう一度強く押圧（全押し）すると、決定された露出条件、および調整された焦点距離の下で撮影が行なわれる。
【００３１】
図３は、図１のデジタルカメラ１００の内部構成を説明するブロック図である。
図３を参照して、デジタルカメラ１００は、撮像レンズ１と、絞り機構２と、撮像素子（ＣＣＤ：Charge Coupled Device）３と、ＣＤＳ／ＡＧＣ回路４と、Ａ／Ｄ変換器５と、信号処理部６と、ＳＤＲＡＭ７と、画像処理部８と、画像圧縮・伸張処理部９と、ズーム処理部１０と、Ｄ／Ａ変換器１１と、ビデオエンコーダ１２と、表示器１３と、カード制御部１４と、ストロボ装置１６と、発光部材駆動部１８と、ＣＰＵ２０と、操作部２１と、モータ駆動部２２と、ＣＣＤ駆動部２３とを備える。
【００３２】
撮像レンズ１は、主レンズ１ａ、ズームレンズ１ｂ、およびフォーカスレンズ１ｃからなる。撮像レンズ１の背後には、絞り機構２が配置されている。ズームレンズ１ｂ、フォーカスレンズ１ｃおよび絞り機構２のそれぞれには、モータが接続されている。これらのモータは、ステッピングモータであり、ＣＰＵ２０に接続されたモータ駆動部２２から送信される駆動パルスにより動作制御される。
【００３３】
絞り機構２の背後には、ＣＣＤ３が配置されている。ＣＣＤ３には、ＣＰＵ２０によって制御されるタイミングジェネレータ（図示せず）が、ＣＣＤ駆動部２３を介して接続されている。ＣＣＤ駆動部２３は、タイミングジェネレータから入力されるタイミング信号に基づいて、ＣＣＤ３の各セルの蓄積電荷量と電荷読み出しタイミングとを制御する。
【００３４】
図３のデジタルカメラ１００において、被写界の光学像は、撮像レンズ１および絞り機構２を通してＣＣＤ３の受光面つまり撮像面に照射される。絞り機構２は、撮像レンズ１を通過する光の量を調整する。
【００３５】
ＣＣＤ３は、光電変換によって、撮像面に結像した被写界の光学像の明暗に対応する電荷つまりＲａｗ画像信号を生成する。なお、撮像素子には、ＣＣＤ以外にＣＭＯＳ（Complementary Metal-Oxide Semiconductor）が用いられる。
【００３６】
ＣＣＤ３の出力信号（ＲＧＢ信号）は、ＣＤＳ回路とＡＧＣ回路とを備えたＣＤＳ／ＡＤＣ回路４に送られる。ＣＤＳ／ＡＤＣ回路４に入力したＣＣＤ３の出力信号は、ＣＤＳ回路で相関二重サンプリング処理された後、ＡＧＣ回路で最適な振幅にゲイン調整される。ＣＤＳ／ＡＤＣ回路４の出力信号は、Ａ／Ｄ変換器５によってデジタル映像信号に変換される。Ａ／Ｄ変換器５によって得られたデジタル映像信号は信号処理部６に送られ、所定の信号処理（ホワイトバランス調整、色分離、ＹＵＶ変換など）が施されることにより、ＹＵＶ形式の画像データに変換される。信号処理部６によって生成された画像データは、ＳＤＲＡＭ７に格納される。
【００３７】
デジタルカメラ１００の各部は、ＣＰＵ２０によって制御される。ＣＰＵ２０には、操作部２１が接続されている。操作部２１には、電源ボタン３２、モードダイヤル３４およびレリーズボタン３６の他、撮像レンズ１のズームレンズ１ｂをワイド側、テレ側に変倍するズーム操作ボタン、表示器１３にメニュー画面を表示させるためのメニューボタンなどが設けられている。
【００３８】
ＣＰＵ２０には、上述したモータ駆動部２２、ＣＣＤ駆動部２３、信号処理部６およびＳＤＲＡＭ７の他、画像処理部８、画像圧縮・伸張処理部９、ズーム処理部１０、ストロボ装置１６、発光部材駆動部１８、Ｄ／Ａ変換器１１およびカード制御部１４が接続されている。Ｄ／Ａ変換器１１には、ビデオエンコーダ１２を介して表示器１３が接続されている。カード制御部１４には、外部メモリカード１５が接続されている。また、発光部材駆動部１８には、発光部材１７が接続されている。
【００３９】
ストロボ装置１６は、図示しないストロボ制御回路により動作制御され、ストロボ発光窓３８から被写体に向けてストロボ光を発する。
【００４０】
発光部材駆動部１８は、発光部材１７を構成する４個の発光素子のオン／オフ制御を行なう。具体的には、発光部材駆動部１８は、レリーズボタン３６を全押して、シャッタをレリーズさせると、シャッタが開口するのと同期して各発光素子１７ａ〜１７ｄをオンさせ、ＣＣＤ３による被写体の撮影が終了したときに、各発光素子１７ａ〜１７ｄをオフさせる。
【００４１】
次に、上記構成を有するデジタルカメラ１００の基本的な動作について説明する。まず、デジタルカメラ１００で被写体の撮影を行なう場合には、電源ボタン３２を操作してデジタルカメラ１００の電源を投入する。そして、モードダイヤル３４を操作して静止画撮影モード、あるいは動画撮影モードを選択する。
【００４２】
静止画撮影モードでは、操作部２１のレリーズボタン３６が押圧されていない場合には、一定間隔（たとえば１／６０秒）で撮影された画像データがＳＤＲＡＭ７に書込まれた後、Ｄ／Ａ変換器１１によってアナログ映像信号に変換される。アナログ映像信号はビデオエンコーダ１２によりＮＴＳＣ信号に変換されて表示器１３に表示される。このような表示は、スルー表示と呼ばれている。
【００４３】
スルー表示中にレリーズボタン３６が半押しされると、図示しないＡＥ検出回路にて、被写体の明るさに見合った露出量が決定され、この決定された露出量に応じた絞り径、およびシャッタ速度となるように、絞り機構２およびＣＣＤ３を制御するＡＥが実行される。また、図示しないＡＦ検出回路にて、フォーカスレンズ１ｃを移動させながらフォーカス評価値を算出し、合焦位置を検出するＡＦが実行され、撮影準備処理が完了する。
【００４４】
撮影準備処理が完了した後、レリーズボタン３６の全押しにより撮影が実行されると、決定された露出量に基づいて静止画撮影が行なわれ、そのタイミングで撮影された画像データがＳＤＲＡＭ７に書込まれる。ＳＤＲＡＭ７に書込まれた画像データは、Ｄ／Ａ変換器１１およびビデオエンコーダ１２を介して表示器１３に送られて表示されるとともに、画像圧縮・伸張処理部９によってＪＰＥＧ形式にエンコードされた後、カード制御部１４によって外部メモリカード１５に保存される。
【００４５】
（マクロ撮影）
このように構成されたデジタルカメラ１００を用いて、マクロ撮影を行なう場合には、図４に示すように、カメラ本体１１０を被写体２００に近接させて、手持ちあるいは三脚などにより支持する。次いで、電源ボタン３２を操作してデジタルカメラ１００の電源を投入する。この状態でレリーズボタン３６が半押しされると、レンズ鏡筒３０の２重に嵌合された可動鏡筒が、駆動モータにより図４に示す状態となるように繰り出される。このとき、モータ駆動部２２を介してレンズモータが駆動され、フォーカスレンズ１ｃが被写体に焦点が合う位置に移動される。
【００４６】
上記のような待機状態で、レリーズボタン３６が全押しして、シャッタをレリーズさせると、シャッタが開口するのと同期して配線５０を介して電源が供給され、発光部材１７としての発光素子１７ａ〜１７ｄが発光部材駆動部１８により制御された発光する。なお、発光素子１７ａ〜１７ｄを発光させる場合には、モードダイヤル３４を操作して、ストロボ発光窓３８からストロボ光を発するモードから、発光部材１７から光を発するモードに切換えておくものとする。
【００４７】
このとき、各発光素子が発した光は、図４に示すように、被写体２００に照射されると、その反射光が、被写体２００からの戻り光として反射部材４０に入射される。反射部材４０は、この戻り光を被写体２００に向けて反射させる。これにより、被写体２００に対しては、図中の矢印Ｌ１に示すように、各発光素子の発する光が直接的に照射されるとともに、図中の矢印Ｌ２に示すように、反射部材４０を介して間接的に照射されることとなる。したがって、各発光素子が出射した光を効率良く被写体２００に照射することができる。
【００４８】
特に、上述したように、反射部材４０がその表面に散乱反射面を有する構成とすることにより、該散乱反射面に入射した光が拡散されて被写体２００に照射されるため、被写体２００に対する照明輝度の均一性を向上することができる。
【００４９】
これにより、被写体２００に照射される光を均一化するために発光部材１７を構成する発光素子の個数を増やすことが不要となることから、発光部材１７および発光部材駆動部１８の構成が簡素化されるとともに、発光部材１７での消費電力が抑制される。したがって、デジタルカメラ１００の低消費電力化、小型化および低コスト化を図りながら、マクロ撮影時において良質な画像を得ることができる。
【００５０】
以下に、本発明の実施の形態に従うデジタルカメラにおける反射部材４０の他の構成例について説明する。以下に示す変更例１および２は、低消費電力化の観点から発光部材１７の光量が制限された場合においても、光量が少ない発光部材１７の発光を有効に利用して、良好な照明効果を得るための反射部材４０の構成を例示するものである。
【００５１】
［変更例１］
図５は、本発明の実施の形態の変更例１に従うデジタルカメラ１００Ａを前方（被写体側）から見たときの概略構成を示す図である。図６は、図５のＡ−Ａ断面図である。
【００５２】
図５のデジタルカメラ１００Ａは、図１のデジタルカメラ１００に対して、反射部材４０を反射部材４０Ａに変更した点でのみ異なる。
【００５３】
図５を参照して、４個の発光素子１７ａ〜１７ｄが、撮像レンズ１が露呈するレンズ鏡筒３０の先端部の撮影開口の外周部分に、互いに９０°ずつずれた位置に等間隔で配置されている。
【００５４】
反射部材４０Ａは、レンズ鏡筒３０の先端部に配置されている。反射部材４０Ａは、レンズ鏡筒３０の先端部と略同じ円形状の外形を有するとともに、レンズ鏡筒３０の先端部の撮影開口と略同じ円形状の外形を有する透過穴を有している。
【００５５】
図６を参照して、反射部材４０Ａはさらに、撮像レンズ１の光軸から外側に傾いた傾斜反射面を有している。
【００５６】
このように構成されたデジタルカメラ１００Ａを用いてマクロ撮影を行なう場合、レリーズボタン（図示せず）が全押しされると、シャッタが開口するのと同期して配線５０を介して電源が供給され、発光素子１７ａ〜１７ｄが発光する。
【００５７】
このとき、各発光素子が発した光が被写体２００に向けて照射されると、その反射光が被写体２００からの戻り光として反射部材４０Ａに入射される。そして、反射部材４０Ａでは、この戻り光が傾斜反射面にて反射されて再び被写体２００に向けられる。たとえば図６の矢印Ｌ２に示すように、各発光素子から出射される光のうちレンズ鏡筒３０の外周側に向かう光は、その反射光である戻り光が傾斜反射面にて反射されて被写体２００へと向けられる。このようにして、各発光素子の発する光は、直接的に被写体２００に照射されるとともに（図中の矢印Ｌ１に相当）、反射部材４０Ａを介して間接的に照射される（図中の矢印Ｌ２に相当）。したがって、各発光素子からの光を効率良く被写体２００に照射することが可能となる。
【００５８】
この結果、被写体２００に照射される光を均一化するために発光部材１７を構成する発光素子の個数を増やすことが不要となることから、発光部材１７および発光部材駆動部１８の構成が簡素化されるとともに、発光部材１７での消費電力が抑制される。したがって、デジタルカメラ１００Ａの低消費電力化、小型化および低コスト化を図りながら、マクロ撮影時において良質な画像を得ることができる。
【００５９】
［変更例２］
図７は、本発明の実施の形態の変更例２に従うデジタルカメラ１００Ｂを前方（被写体側）から見たときの概略構成を示す図である。図８は、図７のＢ−Ｂ断面図である。
【００６０】
図７のデジタルカメラ１００Ｂは、図１のデジタルカメラ１００に対して、発光部材１７を構成する発光素子の個数を４個から３個に変更した点、および反射部材４０を反射部材４０Ｂに変更した点でのみ異なる。
【００６１】
図７を参照して、３個の発光素子１７ａ〜１７ｃが、撮像レンズ１が露呈するレンズ鏡筒３０の先端部の撮影開口の外周部分に、互いに１２０°ずつずれた位置に等間隔で配置されている。
【００６２】
反射部材４０Ｂは、レンズ鏡筒３０の先端部に配置されている。反射部材４０Ｂは、レンズ鏡筒３０の先端部と略同じ円形状の外形を有するとともに、レンズ鏡筒３０の先端部の撮影開口と略同じ円形状の外形を有する透過穴を有している。
【００６３】
図７のように、発光素子の個数を４個から３個に減らすことで、各発光素子の照射範囲（図中の領域５０ａ〜５０ｃ）と、それ以外の領域との間で照明輝度にばらつきが生じてしまう。
【００６４】
本変更例２に従うデジタルカメラ１００Ｂは、このような発光素子の個数を減少させたことによる照明輝度のばらつきを解消するため、反射部材４０Ｂが戻り光を相対的に低い領域に向けて反射させるように、反射部材４０Ｂに傾斜反射面を設ける。その一例として、図８に示すように、反射部材４０Ｂは、撮像レンズ１の光軸から外側に傾いた傾斜反射面を有している。
【００６５】
このように構成されたデジタルカメラ１００Ｂを用いてマクロ撮影を行なう場合、レリーズボタン（図示せず）が全押しされると、シャッタが開口するのと同期して配線５０を介して電源が供給され、発光素子１７ａ〜１７ｃが発光する。
【００６６】
このとき、各発光素子が発した光は、図８に示すように、被写体２００に照射されると、その反射光が被写体２００からの戻り光として反射部材４０Ａに入射される。反射部材４０Ａでは、この戻り光が傾斜反射面にて反射されて被写体２００に向けられる。たとえば図８の矢印Ｌ２に示すように、各発光素子から出射される光のうちレンズ鏡筒３０の外周に向かう光は、その反射光である戻り光が傾斜反射面にて反射されて、発光素子１７ｂの出射光が配光されていない領域へ向けられる。その結果、各発光素子が出射した光を効率良く、かつ、均等に被写体２００に照射することができる。
【００６７】
したがって、本変更例２に従うデジタルカメラ１００Ｂによれば、発光素子の個数を増やすことなく、被写体２００に照射される光を均一化できることから、発光部材１７および発光部材駆動部１８の構成が簡素化されるとともに、発光部材１７での消費電力が抑制される。これにより、デジタルカメラ１００Ｂの低消費電力化、小型化および低コスト化を図りながら、マクロ撮影時において良質な画像を得ることができる。
【００６８】
なお、上述した実施の形態では、発光部材として、発光ダイオードを配設したものを例示したが、レンズ鏡筒の先端部に設けられるもので、必要な発光量を生成するものであれば、他の発光素子でもよい。また、レンズ鏡筒に配設される発光ダイオードの個数は、複数個に限られず、１個の場合であっても本発明の効果を享受することができる。
【００６９】
また、上述した実施の形態では、沈胴式の撮像レンズを備えたカメラを例として説明したが、カメラ内部で鏡筒が移動する縦屈曲式の撮像レンズを備えたカメラにも本発明を適用可能である。
【００７０】
今回開示された実施の形態は、すべての点で例示であって制限的なものではないと考えられるべきである。本発明の範囲は、上記した実施の形態の説明ではなくて特許請求の範囲によって示され、特許請求の範囲と均等の意味および範囲内でのすべての変更が含まれることが意図される。
【符号の説明】
【００７１】
１  撮像レンズ、１ａ  主レンズ、１ｂ  ズームレンズ、１ｃ  フォーカスレンズ、２  絞り機構、３  ＣＣＤ、４  ＣＤＳ／ＡＧＣ回路、５  Ａ／Ｄ変換器、６  信号処理部、８  画像処理部、９  画像圧縮・伸張処理部、１０  ズーム処理部、１１  Ｄ／Ａ変換器、１２  ビデオエンコーダ、１３  表示器、１４  カード制御部、１５  外部メモリカード、１６  ストロボ装置、１７  発光部材、１７ａ〜１７ｄ  発光素子、１８  発光部材駆動部、２１  操作部、２２  モータ駆動部、２３  ＣＣＤ駆動部、３０  レンズ鏡筒、３２  電源ボタン、３４  モードダイヤル、３６  レリーズボタン、３８  ストロボ発光窓、４０，４０Ａ，４０Ｂ  反射部材、４２，４４  透過穴、１００，１００Ａ，１００Ｂ  デジタルカメラ、１１０  カメラ本体、２００  被写体。
【図１】
2011133629.tif 000003
【図２】
2011133629.tif 000004
【図３】
2011133629.tif 000005
【図４】
2011133629.tif 000006
【図５】
2011133629.tif 000007
【図６】
2011133629.tif 000008
【図７】
2011133629.tif 000009
【図８】
2011133629.tif 000010